(57)【要約】【課題】プラスチック製のケースが必要なく、したがって内容物の量が見た目通りであり、しかも袋の内側に指が触れることなく衛生的にかつ簡単に使用状態にできるようにした複合容器を提供する。【解決手段】付替え包装体Ｗは、粉体を充填したガセット袋Ｐとそのガセット袋Ｐを収納する紙カートン１０とからなり、紙カートン１０は上部に相対するフランジ１８を有するとともに各フランジ１８はそれぞれ把手部分１８ａを有しており、紙カートン１０のフランジ１８の内側面がガセット袋Ｐの上部の外側面と接着されている。口枠部材は、開封した付替え包装体Ｗの上部に固定される四角枠状のアダプタ２０と、付替え包装体Ｗの上部に固定されたアダプタ２０に取り付けられる密閉用の中枠３０とからなる。【選択図】図１
2016222330.tif 000002
【特許請求の範囲】
【請求項１】
付替え包装体と、開封した付替え包装体に取り付けられる口枠部材とを具備してなる複合容器であって、
付替え包装体は、粉体を充填したガセット袋とそのガセット袋を収納する紙カートンとからなり、ガセット袋は上部に開口を形成して開封するタイプであり、紙カートンは上部に相対するフランジを有するとともに各フランジはそれぞれ把手部分を有しており、紙カートンのフランジの内側面がガセット袋の上部の外側面と接着されており、
口枠部材は、開封した付替え包装体の上部に固定される四角枠状のアダプタと、付替え包装体の上部に固定されたアダプタに嵌合固定される中枠とを具備しており、アダプタは、開封した付替え包装体の両側にある紙カートンと袋の隙間に差し込まれるフィンを有するとともに、紙カートンの把手部分を固定するための係止部を備えていることを特徴とする複合容器。
【請求項２】
口枠部材は、アダプタに嵌合固定した中枠に覆い被さる蓋体を具備していることを特徴とする請求項１に記載の複合容器。
【発明の詳細な説明】
【技術分野】
【０００１】
本発明は、袋に収納してある粉ミルク等の粉体を計量スプーン等で掬い取って使用するタイプの複合容器に関するものである。
【背景技術】
【０００２】
従来より、粉ミルク等の粉体は、缶に充填され密封された状態で店頭で販売されているが、最近では、容器として高価な缶を使用することなく、粉体を袋に充填して付替え包装体とし、これを開封した状態でプラスチック製のケースにセットするようにした複合容器が知られている。このタイプの複合容器では、収納した袋の開口を広げた状態に保持することで、軽量スプーン等ですくい取る操作を容易としたり、袋とケースの間に内容物が入り込まないようにしている（例えば、特許文献１，２参照）。
【先行技術文献】
【特許文献】
【０００３】
【特許文献１】特開２０１４−１９８５７９号公報
【特許文献２】特開２０１４−２０８５４０号公報
【発明の概要】
【発明が解決しようとする課題】
【０００４】
上記した引用文献１，２に記載の複合容器は、ケース本体の開口縁部に嵌合固定される口枠体を備え、その口枠体に回動可能あるいは押圧変形可能な押さえ片を複数設けており、これらの押さえ片によって、開封した袋の開口上端部をケース本体の側周壁との間で挟持することで、付替え包装体をその上端部が大きく開いた状態でケース本体に保持するようになっている。
【０００５】
しかしながら、このような複合容器では、複数カ所ある押さえ片をそれぞれ手で操作する必要があるため、開封した袋をケース本体にセットする操作が楽ではない。また、ケース本体に袋を入れて固定する際に、特に現在多用されているガゼット袋の場合、フィルムのクセで開口部が閉塞するために広げ直す場合が多々ある。その際、袋の開口部分を手で持って広げる必要があるので袋の内面に手が触れ、特に内容物が粉ミルク等の口に入れる食品の場合にあっては、衛生的な面から好ましくない。また、プラスチック製のケース本体に袋を入れてあり、しかもケース本体の内部に押さえ片が位置しているため、袋を収納するプラスチック製のケースを必要とする上に、入る袋のサイズがその分だけ小さくなることから、内容物の量は外観より少なく、使用すると早くなくなるという感じがして、消費者ががっかりすることがある。
【０００６】
本発明は、上記のような問題に鑑みてなされたものであり、その目的とするところは、プラスチック製のケースが必要なく、したがって内容物の量が見た目通りであり、しかも袋の内側に指が触れることなく衛生的にかつ簡単に使用状態にできるようにした複合容器を提供することにある。
【課題を解決するための手段】
【０００７】
本発明の複合容器は、付替え包装体と、開封した付替え包装体に取り付けられる口枠部材とを具備してなる複合容器であって、
付替え包装体は、粉体を充填したガセット袋とそのガセット袋を収納する紙カートンとからなり、ガセット袋は上部に開口を形成して開封するタイプであり、紙カートンは上部に相対するフランジを有するとともに各フランジはそれぞれ把手部分を有しており、紙カートンのフランジの内側面がガセット袋の上部の外側面と接着されており、
口枠部材は、開封した付替え包装体の上部に固定される四角枠状のアダプタと、付替え包装体の上部に固定されたアダプタに取り付けられる中枠とを具備しており、アダプタは、開封した付替え包装体の両側にある紙カートンとガセット袋の隙間にそれぞれ差し込まれるフィンを有するとともに、紙カートンの把手部分を固定するための係止部を備えていることを特徴とする。
【０００８】
この複合容器は、付替え包装体の紙カートンを開けてから、露出したガセット袋の上部を切り取るなどして開口を形成することで開封する。そして、その開封した付替え容器の両側にある隙間にフィンを差し込むようにして付替え包装体の上部にアダプタを固定し、次いで、紙カートンの相対するフランジにある把手部分を外側に折り曲げ、アダプタの係止部にそれぞれ固定することで付替え包装体にアダプタをセットする。このとき、紙カートンの把手部分を手で持って操作するので、ガセット袋の開口部分を手で持つことがない。次に、付替え包装体の上部に固定されたアダプタに中枠を取り付けて密閉を図る。
り、その中枠を覆うようにして蓋体を被せることで、複合容器を使用状態にする。
【０００９】
上記の口枠部材は、アダプタに嵌合固定した中枠に覆い被さる蓋体を具備している形態を採ることができる。この蓋体を被せることにより、複合容器を保管状態にすることができる。
【発明の効果】
【００１０】
本発明の複合容器は、付替え包装体をそのまま使用時の容器として使用するので、付替え包装体を別の容器に入れ替える必要がないことから、従来のようなプラスチック製のケースを省略できるとともに、内容物の量が見た目どおりであって、量の観点から消費者の期待を裏切るようなことがない。また、開封した付替え包装体の上部にアダプタを固定してから、紙カートンの相対するフランジにある把手部分を手で持ってガセット袋の開口を広げ、両方の把手部分をケース本体の係止部に固定することで付替え容器にアダプタをセットし、その上から中枠を取り付けるので、ガセット袋の開口部分を手で持つことがなくガセット袋の内面に指が触れないので、衛生的な状態でセットすることができる。付替え包装体は、消費するなどして中の粉体がなくなると新しいものと交換するが、付替え包装体に取り付ける口枠部材は、再利用することができる。
【図面の簡単な説明】
【００１１】
【図１】本発明に係る複合容器を分解した状態で示す説明図である。
【図２】図１の複合容器で用いる付替え包装体の紙カートンを組み立てるブランクの展開図である。
【図３】付替え包装体のガセット袋を充填状態で示す斜視図である。
【図４】内容物を充填したガセット袋を紙カートンに収納する様子を示す説明図である。
【図５】付替え包装体を示す斜視図である。
【図６】図１の複合容器を組み立てる途中で示す説明図である。
【図７】紙カートンとガセット袋の関係を示す説明図である。
【図８】図１の複合容器を組み立てた状態で示す説明図である。
【図９】セットしたアダプタに中枠を取り付ける様子を示す説明図である。
【発明を実施するための形態】
【００１２】
次に、本発明の実施の形態について図面を参照しながら詳細に説明する。
【００１３】
図１は本発明に係る複合容器をその構成部材を離間した状態で示す説明図であり、同図に示すように、この複合容器は、付替え包装体Ｗと、開封した付替え包装体Ｗに取り付けられる口枠部材とを具備している。
【００１４】
付替え包装体Ｗは、粉体を充填したガセット袋Ｐとそのガセット袋Ｐを収納する紙カートン１０とからなり、ガセット袋Ｐは上部に開口を形成して開封するタイプであり、図１では付替え包装体Ｗを開封した状態で示している。一方、口枠部材は、いずれもプラスチック製であり、図１に示すように、開封した付替え包装体Ｗの上部に固定される四角形状のアダプタ２０と、付替え包装体Ｗの上部に固定されたアダプタ２０に取り付けられる密閉用の中枠３０と、アダプタ２０に取り付けられた中枠３０に覆い被さる蓋体４０からなり、この例ではアダプタ２０と蓋体４０はヒンジを介して連結している。
【００１５】
付替え包装体Ｗの紙カートン１０は、図２に展開形状を示すブランクを組み立てて作成されるものであり、このブランクを組み立てる途中において紙カートン１０の中に図３に示す充填済みのガセット袋Ｐが収納される。
【００１６】
図２のブランクは、板紙を打ち抜いてケースされたもので、図示のように、狭幅側板１１、広幅側板１２、狭幅側板１３、広幅側板１４、糊代片１４ａがこの順で横方向に連設されている。また、狭幅側板１１，１３の下辺にはそれぞれ底片１５が、広幅側板１２，１４の下辺にはそれぞれ底板１６が連設され、狭幅側板１１，１３の上辺にはそれぞれ蓋板１７が、広幅側板１２，１４の上辺にはそれぞれフランジ１８が連設され、このフランジ１８には付け根の左右に窪みのある矩形状の把手部分１８ａが設けられている。
【００１７】
狭幅側板１１，１３の上辺に連設された２つの蓋板１７は、組立て時に互いに重なり合うもので、これらにはそれぞれ開封用のジッパーαがそれぞれ形成されており、組立て時に下側となる方の蓋板１７の表側には、接着力を高めるために複数の半切れ罫線ａが形成されている。また、狭幅側板１１，１３の中央付近には、押込みが可能な半円状の切込み部１１ａ，１３ａが設けられている。
【００１８】
図３のガセット袋Ｐは、胴部１のサイズが紙カートン１０に納まる大きさであり、中に粉体を充填した状態で上部を山形に折り畳んでシール部２を形成することで密封されている。そして、このガセット袋Ｐは切取り予定線３のところでシール部２を切除することによって開封するようになっている。
【００１９】
図２のブランクを組み立てる途中で図３のガセット袋Ｐを収納して付替え包装体Ｗを形成する手順は次のようである。
【００２０】
まず、底板１６の接着片１６ａを折り返した状態で、底板１６及び底片１５をそれぞれ内側に折り返し、底片１５の表側に接着片１６ａの裏側を貼り合わせるとともに、糊代片１４ａを狭幅側板１１の端部内面に貼り合わせることでサック貼り状態で折り畳む。そして、この折り畳まれたブランクを起こすと、底板１６の部分がオートロックされてカートンの底部が形成される。
【００２１】
このように折り畳み状態のブランクを起函することで底部を形成してから、図４に示すように上部からガセット袋Ｐを入れた後、上部に露出している山形の部分を平らにし、そこにフランジ１８を重ね合わせてそれぞれホットメルト等で貼り合わせる。すなわち、フランジ１８の内側面をガセット袋Ｐの開口端縁となる部位の外側面に接着する。この場合、フランジ１８の全面を貼り合わせてもよいし、数カ所のポイントで貼り合わせたり横方向に線状に貼り合わせてもよい。要はフランジ１８を引っ張った時に袋Ｐの開口部が四角状に開くように貼り合わせる。続いて、両方の蓋板１７を重ね合わせて糊付けすることで紙カートン１０の上部を閉じる。このとき、半切れ罫線ａのある蓋板１７の方を下側にして糊付けする。これにより図５に示す付替え包装体Ｗが形成される。
【００２２】
口枠部材のアダプタ２０は、外観形状が四角枠状をしており、その短辺側の相対する位置にそれぞれ下方に突き出る形状で、開封した付替え包装体Ｗの両側にある紙カートン１０とガセット袋Ｐの隙間に差し込まれるフィン２１を有しており、これらのフィン２１の外側にはそれぞれ突起２１ａが設けられている。また、長辺側の上端縁部における相対する位置に、紙カートン１０の把手部分１８ａを固定するための切欠き状で根元に窪みのある係止部２２をそれぞれ備えている。
【００２３】
口枠部材の中枠３０は、シリコン系の柔らかいパッキン素材からできており、アダプタ２０に上方から嵌合して密閉するように断面が逆Ｖ字形をした四角枠状であり、その短辺側の相対する位置にそれぞれ下方に突き出る脚部３１を有し、さらに長辺側の相対する２辺に跨がる摺り切り棒３２を備えている。
【００２４】
口枠部材の蓋体４０は、アダプタ２０に取り付けられた中枠３０に覆い被さって容器に蓋をするためのものであり、図示のように、アダプタ２０の短辺側にヒンジを介して連結してあり、その先端には係止用のフック４１が設けられ、アダプタ２０にはこのフック４１と噛み合って蓋体４０を固定するための突起２３が設けられている。なお、蓋体４０は、アダプタ２０と連結したものとする必要はなく別体としても構わない。
【００２５】
上記の付替え包装体Ｗを開封し、次いでその開封した付替え包装体Ｗに口枠部材を取り付けるがその手順は次のようである。
【００２６】
まず、紙カートン１０における重なり合った蓋板１７をそれぞれのジッパーαのところで破断除去してから、残った左右の蓋板１７の部分を開け、出てきたガセット袋Ｐの上部を起こしてそのシール部２をハサミなどで切除することで開封する。このようにガセット袋Ｐを開封した後、フランジ１８にある把手部分１８ａを手で持って広げるように引っ張ると、フランジ１８の内側面がガセット袋Ｐの上部の外側面と接着されており（図１のＦで示す部分）、ガセット袋Ｐの開口もフランジ１８にくっ付いて広がるので、紙のコシを利用してガセット袋Ｐを直線状に強制することでガセット開口部を四角に保形することができる。
【００２７】
付替え包装体Ｗを開封した後、図６に示すように、その付替え包装体Ｗの上部にアダプタ２０を取り付ける。このとき、短辺側にある蓋板１７の残り部分を外側に折り返した状態にし、その内側にある紙カートン１０とガセット袋Ｐの隙間にフィン２１を差し込むようにして、付替え包装体Ｗの上部からアダプタ２０を被せるようにして取り付ける。ここで、付替え包装体Ｗは、図７に示すように、紙カートン１０に対してガセット袋Ｐの長手方向の寸法を両側とも距離ｘだけ小さくしてあるので、これによって生じる隙間Ｓにアダプタ２０のフィン２１を合わせれば簡単に差し込むことができる。そして、そのフィン２１に設けられた突起２１ａで、紙カートン１０の切込み部１１ａ，１３ａを突き破り、紙カートン１０にアダプタ２０を固定する。
【００２８】
そして、紙カートン１０の上部にある把手部分１８ａを外側に折り曲げてアダプタ２０の係止部２２に固定する。把手部分１８ａの根元には左右に窪みがあるので、その把手部分１８ａをアダプタ２０の上端縁部にある係止部２２に嵌め込み、互いの窪み同士を合致させることにより、把手部分１８ａを係止部２２に固定する。このとき、紙カートン１０の把手部分１８ａを手で持って操作するので、ガセット袋Ｐの開口部分を手で持つことがなく、この操作においてもガセット袋の内面に指が触れるようなことはない。
【００２９】
このように、開封した付替え包装体Ｗにアダプタ２０を取り付けた後、図８に示すようにアダプタ２０に被せるようにして中枠３０を取り付ける。このとき、脚部３１をガセット袋Ｐの中に入り込ませることでガセット袋Ｐを広げるようにし、かつ、アダプタ２０の上部とガセット袋Ｐの開口上部を挟み込むとともに、折れ曲がった把手部分１８ａを挟み込むようにして中枠３０をアダプタ２０に嵌合固定する。この中枠３０はシリコン系の柔らかいパッキン素材からなっているので、図９に示すように、アダプタ２０の最外周面とガセット袋Ｐの内面を押さえることになって密閉が図られる。また、中枠３０には、図示のように摺り切り棒３２が横断状態で設けられており、スプーンにより所定量の粉体をすくい取ることができる。
【００３０】
固定したアダプタ２０に中枠３０を取り付けた後は、蓋体４０を被せて保管状態とすることができる。このとき、蓋体４０のフック４１をアダプタ２０の突起２３に引っ掛けることで蓋体４０を固定すればよい。
【００３１】
上記の複合容器を構成する付替え包装体は、消費するなどして内容物がなくなると新しいものと交換するが、アダプタ２０、中枠３０および蓋体４０からなる口枠部材は、再利用することができる。
【００３２】
以上、本発明の実施形態について実施例を挙げて詳細に説明してきたが、本発明による複合容器は、上記の実施形態に何ら限定されるものではなく、本発明の趣旨を逸脱しない範囲において種々の変更が可能であることは当然のことである。
【産業上の利用可能性】
【００３３】
本発明の複合容器で用いられる袋の内容物としては、粉ミルクを始めとして粉末状の食品や洗剤などが挙げられるが、粉体であれば特に限定されるものではない。
【符号の説明】
【００３４】
Ｐ  ガセット袋
Ｗ  付替え包装体
１  胴部
２  シール部
３  開封予定線
１０  紙カートン
１１  狭幅側板
１１ａ  切込み
１２  広幅側板
１３  狭幅側板
１３ａ  切込み
１４  広幅側板
１４ａ  糊代片
１５  底片
１６  底板
１６ａ  接着片
１７  蓋板
１８  フランジ
１８ａ  把手部分
２０  アダプタ
２１  フィン
２１ａ  突起
２２  係止部
２３  突起
３０  中枠
３１  脚部
３２  摺り切り棒
４０  蓋体
４１  フック
α  ジッパー
Ｓ  隙間
ａ  半切れ罫線
【図１】
2016222330.tif 000003
【図２】
2016222330.tif 000004
【図３】
2016222330.tif 000005
【図４】
2016222330.tif 000006
【図５】
2016222330.tif 000007
【図６】
2016222330.tif 000008
【図７】
2016222330.tif 000009
【図８】
2016222330.tif 000010
【図９】
2016222330.tif 000011